(57)【要約】無菌着座環境を作り出すための装置が提供される。本装置は、前部、側部、及び後部を含む。前部と後部は、前部、後部、及び側部によって境界付けられる内部容積を作り出すように、側部によって接続され、この内部容積は、開口部を介してアクセス可能である。カバーの前部は、カバーの後部よりも大きくてもよく、カバーの後部は、後部の外周の周囲に位置する締結具を有してもよい。この締結具を使用して、カバーを第２の位置に固定することができ、この第２の位置は、カバーの後部によって画定される内部容積内にカバーの前部及び側部を保持することができる。
2016536222.tif 000002
【特許請求の範囲】
【請求項１】
シートカバーであって、
前部、後部、頂部、底部、第１の側部、及び第２の側部を備える前部と、
前部、後部、頂部、底部、第１の側部、及び第２の側部を備える後部と、
前記前部と前記後部を接続し、かつ前記前部及び前記後部の前記第１の側部、前記頂部、及び前記第２の側部の周囲に延在する側部であって、前記前部、前記後部、及び前記側部が、前記シートカバーの前記前部及び前記後部の前記底部に内部容積開口部を画定する、側部と、
前記後部の一部分の周囲に延在する締結具であって、第１の閉鎖位置と第２の開放位置との間で移動可能であり、前記前部及び前記側部が前記シートカバーの前記後部によって画定される容積内に受容されるときに、前記第１の閉鎖位置まで移動可能である、締結具と、を備える、シートカバー。
【請求項２】
前記締結具が、ジッパーを備える、請求項１に記載のシートカバー。
【請求項３】
前記ジッパーが、
前記前部、前記底部、前記第１の側部、及び前記第２の側部のうちの３つの部分の周囲に延在する第１のジッパー半部と、
前記前部、前記底部、前記第１の側部、及び前記第２の側部のうちの３つの部分の周囲に延在する第２のジッパー半部と、を備える、請求項２に記載のシートカバー。
【請求項４】
前記第１及び第２のジッパー半部が、前記ジッパー半部のうちの少なくとも一方が前記前部、前記底部、前記第１の側部、及び前記第２の側部のそれぞれの部分の周囲に延在するように位置付けられる、請求項３に記載のシートカバー。
【請求項５】
前記第１のジッパー半部が、前記シートカバーの前記後部の外周の第１の半部の周囲に延在し、前記第２のジッパー半部が、前記シートカバーの前記後部の外周の第２の半部の周囲に延在する、請求項４に記載のシートカバー。
【請求項６】
前記前部が、前記後部よりも大きい、請求項１に記載のシートカバー。
【請求項７】
前記前部が、前記後部によって画定される面積の少なくとも２倍の面積を画定する、請求項１に記載のシートカバー。
【請求項８】
前記前部、前記後部、及び前記側部のうちの少なくとも１つが、弾性材料を含む、請求項１に記載のシートカバー。
【請求項９】
前記前部、前記後部、及び前記側部のうちの少なくとも１つが、細菌バリアである、請求項１に記載のシートカバー。
【請求項１０】
前記前部、前記後部、及び前記側部のうちの少なくとも１つが、ポリスパンデックスを含む、請求項１に記載のシートカバー。
【請求項１１】
無菌着座環境を作り出す方法であって、
シートカバーを得ることであって、前記シートカバーが、
前部、後部、頂部、底部、第１の側部、及び第２の側部を備える前部と、
前部、後部、頂部、底部、第１の側部、及び第２の側部を備える後部と、
前記前部と前記後部を接続し、かつ前記前部及び前記後部の前記第１の側部、前記頂部、及び前記第２の側部の周囲に延在する側部であって、前記前部、前記後部、及び前記側部が、前記シートカバーの前記前部及び前記後部の前記底部に内部容積開口部を画定する、側部と、
前記後部の一部分の周囲に延在する締結具であって、閉鎖位置と開放位置との間で移動可能であり、前記前部及び前記側部が前記シートカバーの前記後部によって画定される容積内に受容されるときに、前記閉鎖位置まで移動可能である、締結具と、を備える、シートカバーを得ることと、
前記閉鎖位置から前記開放位置まで前記締結具を移動させることと、
シートの上部部分を覆って前記シートカバーを配置することと、を含む、方法。
【請求項１２】
前記シートの前記上部部分の前記シートカバーを配置することが、前記シートカバーの前記後部によって画定される前記容積から前記前部及び前記側部を取り除くことを含む、請求項１１に記載の方法。
【請求項１３】
前記シートの前記上部部分の前記シートカバーを配置することが、前記シートの前記頂部を、前記前部、前記後部、及び前記側部によって画定される前記内部容積内に受容することを更に含む、請求項１１に記載の方法。
【請求項１４】
前記シートの前記頂部を、前記前部、前記後部、及び前記側部によって画定される前記内部容積内に受容することは、前記シートの前記頂部を、前記シートカバーの前記前部及び前記後部の前記底部の前記内部容積開口部を通して挿入することを含む、請求項１３に記載の方法。
【請求項１５】
前記シートの前記上部部分から前記シートカバーを取り外すことを更に含む、請求項１１に記載の方法。
【請求項１６】
前記シートカバーの前記前部及び前記側部を、前記シートカバーの前記後部によって画定される前記容積内に配置することを更に含む、請求項１５に記載の方法。
【請求項１７】
前記開放位置から前記閉鎖位置まで前記締結具を移動させることを更に含む、請求項１６に記載の方法。
【請求項１８】
シートカバーであって、
頂部、底部、第１の側部、及び第２の側部を備える前部と、
頂部、底部、第１の側部、及び第２の側部を備える後部であって、前記前部よりも小さい、後部と、
前記前部と前記後部を接続し、かつ前記前部及び前記後部の前記第１の側部、前記頂部、及び前記第２の側部の周囲に延在する側部であって、前記前部、前記後部、及び前記側部が、前記シートカバーの前記前部及び前記後部の前記底部に内部容積開口部を画定する、側部と、
前記シートカバーの前記後部の外周の周囲に延在するジッパーであって、前記後部の前記頂部、前記底部、前記第１の側部、及び前記第２の側部のうちの３つの部分の周囲に延在する第１の半部と、前記後部の前記頂部、前記底部、前記第１の側部、及び前記第２の側部のうちの３つの部分の周囲に延在する第２の半部と、を有し、閉鎖位置と開放位置との間で移動可能であり、前記前部及び前記側部が前記シートカバーの前記後部によって画定される容積内にあるときに、前記閉鎖位置まで移動可能である、ジッパーと、を備える、シートカバー。
【請求項１９】
前記第１及び第２のジッパー半部が、前記ジッパー半部のうちの少なくとも一方が前記前部、前記底部、前記第１の側部、及び前記第２の側部のそれぞれの部分の周囲に延在するように位置付けられる、請求項１８に記載のシートカバー。
【請求項２０】
前記前部、前記後部、及び前記側部のうちの少なくとも１つが、ポリスパンデックスを含む、請求項１９に記載のシートカバー。
【発明の詳細な説明】
【背景技術】
【０００１】
（関連出願の相互参照）
本出願は、２０１３年１０月２９日に出願された、米国非仮特許出願第１４／０６６，３９４号、表題「ＺＩＰ−ＡＷＡＹ  ＣＯＶＥＲ」の利益を主張するものであり、参照によりその全体が本明細書に組み込まれる。
【０００２】
（背景技術）
座ることを個人又は顧客に求め、かつ／又は許可する商品及びサービスがしばしば提供される。しばしば、個人が座るための椅子又は他の家具が提供される。これらの家具の快適さは高められているが、これらの家具は、しばしば、清潔でないか、又は衛生的でない。このことを考慮して、家具の高められた快適さ及び清潔さを提供するための新しいデバイス、方法、及びシステムが必要とされている。
【発明の概要】
【課題を解決するための手段】
【０００３】
いくつかの実施形態において、本開示は、シートカバーに関する。シートカバーは、前部、後部、頂部、底部、第１の側部、及び第２の側部を有する前部と、前部、後部、頂部、底部、第１の側部、及び第２の側部を有する後部と、前部と後部を接続し、かつ前部及び後部の第１の側部、頂部、及び第２の側部の周囲に延在する側部とを含んでもよい。いくつかの実施形態において、前部、後部、及び側部は、シートカバーの前部及び後部の底部に内部容積開口部を画定する。いくつかの実施形態において、シートカバーは、後部の一部分の周囲に延在する締結具を含んでもよい。締結具は、第１の閉鎖位置と第２の開放位置との間で移動可能であってもよく、いくつかの実施形態において、締結具は、前部及び側部がシートカバーの後部によって画定される容積内に受容されるときに、第１の閉鎖位置まで移動させることができる。
【０００４】
いくつかの実施形態において、本開示は、清潔な都市環境を作り出す方法に関する。いくつかの実施形態において、本方法は、前部、後部、頂部、底部、第１の側部、及び第２の側部を有する前部と、前部、後部、頂部、底部、第１の側部、及び第２の側部を有する後部と、前部と後部を接続し、かつ前部及び後部の第１の側部、頂部、及び第２の側部の周囲に延在する側部とを含む、シートカバーを得ることを含んでもよい。いくつかの実施形態において、前部、後部、及び側部は、シートカバーの前部及び後部の底部に内部容積開口部を画定する。シートカバーは、後部の一部分の周囲に延在する締結具を更に含んでもよく、該締結具は、第１の閉鎖位置と第２の開放位置との間で移動可能であってもよく、該締結具は、前部及び側部がシートカバーの後部によって画定される容積内に受容されるときに、第１の閉鎖位置まで移動可能であってもよく、第１の閉鎖位置から第２の開放位置まで締結具を移動させ、シートカバーをシートの頂部部分を覆うように配置する。
【０００５】
いくつかの実施形態において、本開示は、シートカバーに関する。シートカバーは、頂部、底部、第１の側部、及び第２の側部を有する前部と、頂部、底部、第１の側部、及び第２の側部を有する後部であって、前部よりも小さくてもよい、後部と、前部と後部を接続し、かつ前部及び後部の第１の側部、頂部、及び第２の側部の周囲に延在する側部とを含んでもよい。いくつかの実施形態において、前部、後部、及び側部は、シートカバーの前部及び後部の底部に内部容積開口部を画定する。シートカバーは、シートカバーの後部の外周の周囲に延在するジッパーを含んでもよく、該ジッパーは、後部の頂部、底部、第１の側部、及び第２の側部のうちの３つの部分の周囲に延在する第１の半部と、後部の頂部、底部、第１の側部、及び第２の側部のうちの３つの部分の周囲に延在する第２の半部と、を有し、該ジッパーは、第１の閉鎖位置と第２の開放位置との間で移動可能であってもよく、該ジッパーは、前部及び側部がシートカバーの後部によって画定される容積内にあるときに、第１の閉鎖位置まで移動可能であってもよい。
【図面の簡単な説明】
【０００６】
本開示は、添付の図面と併せて説明される。
【図１Ａ】第１の開放位置にあるカバーの一実施形態の図である。
【図１Ｂ】第１の開放位置にあるカバーの一実施形態の図である。
【図１Ｃ】第１の開放位置にあるカバーの一実施形態の図である。
【図２】第１の開放位置から移行するカバーの一実施形態の斜視図である。
【図３】第２の閉鎖位置にあるカバーの一実施形態の斜視図である。
【図４】シートと関連してカバーを使用するためのプロセスの一実施形態を例示するフローチャートである。
【発明を実施するための形態】
【０００７】
添付の図面において、類似の構成要素及び／又は特徴部は、同じ参照ラベルを有し得る。参照ラベルが明細書で使用される場合、その説明を同じ参照ラベルを有する類似の構成要素のうちのいずれか１つに適用することができる。更に、同じタイプの種々の構成要素は、類似の構成要素を区別するダッシュ及び第２のラベルを参照ラベルの後に続けることによって区別され得る。第１の参照ラベルだけが本明細書で使用される場合、第２の参照ラベルにかかわらず、その説明を同じ第１の参照ラベルを有する類似の構成要素のうちのいずれか１つに適用することができる。
【０００８】
以下の説明では、説明目的で、種々の実施形態の完全な理解を提供するために、多数の具体的な詳細が記載される。しかしながら、当業者には、種々の実施形態がこれらの具体的な詳細のいくつかを伴わずに実践され得ることが明らかになるであろう。他の事例において、よく知られている構造及びデバイスは、ブロック図の形態で示される。
【０００９】
以下に続く説明は、例示的な実施形態だけを提供し、また、本開示の範囲、適用性、又は構成を限定することを意図しない。むしろ、例示的な実施形態の以下に続く説明は、例示的な実施形態を実現するための実際的な説明を当業者に提供するであろう。種々の変更が、添付の特許請求の範囲に記載されるような開示されるシステム及び方法の趣旨及び範囲から逸脱することなく、要素の機能及び配設に行われ得ることを理解されたい。
【００１０】
以下の説明では、実施形態の完全な理解を提供するために、具体的な詳細が与えられる。しかしながら、実施形態がこれらの具体的な詳細を伴わずに実践され得ることが当業者によって理解されるであろう。
【００１１】
また、個々の実施形態は、フローチャート、フロー図、データフロー図、構造線図、又はブロック図として示されるプロセスとして説明され得ることに留意されたい。フローチャートは、逐次的なプロセスとして動作を説明する場合があるが、動作の多くは、並行して又は同時に行うことができる。加えて、動作の順序は、再編成され得る。プロセスは、その動作が完了したときに終了するが、図に含まれない追加の工程を有することができる。プロセスは、方法、機能、手順、サブルーチン、サブプログラムなどに対応することができる。プロセスが機能に対応するとき、その終了は、該機能の、呼び出し機能又は主機能への復帰に対応することができる。
【００１２】
更に、実施形態は、ハードウェア、ソフトウェア、ファームウェア、ミドルウェア、マイクロコード、ハードウェア記述言語、又はそれらの任意の組み合わせによって実現することができる。ソフトウェア、ファームウェア、ミドルウェア、又はマイクロコードで実現されたとき、必要なタスクを行うためのプログラムコード又はコードセグメントは、機械可読媒体に記憶され得る。プロセッサ（複数可）が必要なタスクを行う場合がある。
【００１３】
いくつかの実施形態において、本開示は、例えばヘッドレスト上に配置され得るカバーに関する。いくつかの実施形態において、カバーは、前部片と、後部片と、及び側部片とを含んでもよい。一実施形態において、後部片の中の前部片は、対応する頂部、底部、第１の側部、及び第２の側部を有することができる。側部片は、前部片及び後部片を接続することができ、具体的には、前部片及び後部片の第１の側部、頂部、及び第２の側部に接続することができる。いくつかの実施形態では、前部片及び後部片の底部が接続されておらず、よって、前部片、後部片、及び側部片が、前部片、後部片、及び側部片によって画定される内部容積にアクセスすることができる開口部を画定する。一実施形態において、前部片は、後部片よりも大きくてもよい。
【００１４】
いくつかの実施形態において、締結具は、後部片の外周の周囲部分に延在することができる。締結具は、例えば、１つ又は複数のフック及びループ締結具、１つ又は複数のスナップ、１つ又は複数のボタン、１つ又は複数のジッパー、又は同類のものなどの、機械的締結具であり得る。いくつかの実施形態において、カバーは、第１の開放位置と第２の閉鎖位置との間で移動させることができる。一実施形態において、カバーは、後部片が前部片及び側部片を受容する受容容積を画定するときに、第２の閉鎖位置に配置される。いくつかの実施形態において、締結具は、カバーを第２の閉鎖位置に固定することができ、締結具がジッパーである１つの具体的な実施形態において、ジッパーは、ジッパーを開く第１の位置から、カバーを第２の閉鎖位置に固定するためにジッパーを閉じる第２の位置まで移動させることができる。
【００１５】
いくつかの実施形態において、本開示は、ユーザをシートの一部分から分離するためのプロセスに関する。このプロセスは、締結具を締結解除することと、第２の閉鎖位置から第１の開放位置までカバーを移動させることと、カバーの開口部がシートのヘッドレストに近接するようにカバーを配向することと、カバーの開口部を通して、カバーの内部容積内にシートのヘッドレストを挿入することと、締付具を介してシートのヘッドレスト上にカバーの位置付けを固定することとを含んでもよい。
【００１６】
以下、図１Ａを参照すると、椅子１０２上のシートカバー１００の一実施形態の斜視図が示される。シートカバー１００は、様々な形状及びサイズであり得、様々な材料から作製されてもよい。いくつかの実施形態において、シートカバー１００は、例えばシート１０２のヘッドレストなどのシート１０２の全て又は一部分に外嵌するようにサイズ決定及び成形されてもよい。いくつかの実施形態において、シートカバー１００は、シートカバー１００の形状を変化させることを可能にできる、可撓性材料で作製されてもよい。いくつかの実施形態において、シートカバー１００は、シートカバー１００のサイズを変化させることを可能にするために、弾性材料で作製されてもよく、いくつかの実施形態において、シートカバーは、抗菌バリアを形成するために、抗菌性材料で作製されてもよい。一実施形態において、例えば、シートカバー１００は、例えばポリスパンデックスなどの、可撓性、弾性、及び抗菌性であり得る布地で作製されてもよい。
【００１７】
シートカバー１００は、任意の所望のシート１０２とともに使用されてもよい。シート１０２は、例えば、シート１０２及び公共の場所、又は個人的な場所のシートであり得る。いくつかの実施形態において、シート１０２は、飛行機のシート、映画館のシート、又は任意の他の所望のシートであり得る。いくつかの実施形態において、シート１０２は、ヘッドレストを有してもよい。
【００１８】
図１で分かるように、シートカバー１００は、前部１０４と、後部１０６と、前部１０４を後部１０６に接続する側部１０８とを含んでもよい。いくつかの実施形態において、前部１０４は、様々な形状及びサイズを有し得る平面部材であり得る。図１に示される実施形態において、前部１０４は、ほぼ長方形状の平面部材である。同様に、いくつかの実施形態において、後部１０６は、様々な形状及びサイズを有し得る平面部材であり得る。図１に示される実施形態において、後部１０６は、ほぼ長方形状の平面部材である。側部１０８は、様々な形状及びサイズを有してもよい。図１に示される実施形態において、側部片は、前部１０４及び後部１０６双方の部分の周囲に延在する、ほぼＵ字形の部材である。
【００１９】
以下、図１Ｂを参照すると、カバー１００の一実施形態の正面図が示される。図１Ｂで分かるように、カバー１００の前部１０４は、本明細書で外面又は第１の側部とも称される面１０９と、面１０９の反対側に位置し、かつ本明細書で内後部又は第２の側部とも称される後部（図示せず）と、前部頂部１１０と、前部底部１１２と、前部第１の側部１１４と、前部第２の側部１１６とを含む。いくつかの実施形態において、前部１０４は、前部底部１１２の中の前部頂部１１０の間の最短距離である高さと、前部第１の側部１１４と前部第２の側部１１６との間の最短距離である幅とを有することができる。前部１０４が長方形状であるいくつかの実施形態において、前部頂部１１０及び前部底部１１２の対、及び前部第１の側部１１４及び前部第２の側部１１６の対の双方の構成要素は、平行であり、及び／又は、例えば平行の３０°以内、平行の２０°以内、平行の１５°以内、平行の１０°以内、平行の５°以内、平行の１°以内、若しくは任意の他の中間位置を含む、ほぼ平行である。
【００２０】
いくつかの実施形態において、カバー１００の前部１０４は、チャネル１１８を含んでもよい。いくつかの実施形態において、チャネル１１８は、カバー１００の前部１０４の一部分を通って及び／又はそれに沿って延在する容積を画定することができる。いくつかの実施形態において、チャネル１１８は、第１の端部及び第２の端部を有することができ、チャネル１１８は、アイテムがチャネル１１８の第１の端部からチャネル１１８の第２の端部まで通過することを可能にするようにサイズ決定及び成形されてもよい。いくつかの実施形態において、図１Ｂに示されるように、カバー１００の前部１０４は、開口部１２０を含んでもよい。いくつかの実施形態において、開口部１２０は、チャネル１１８の容積にアクセスすることを可能にするように位置付けられ得る。開口部１２０は、様々な形状及びサイズであり得る。いくつかの実施形態において、開口部１２０は、例えば、円形の開口部であり得る。いくつかの実施形態において、開口部は、開口部１２０の周囲を、例えば縫合、グロメット、又は同類のものによって強化されてもよい。
【００２１】
図１Ｂで分かるように、いくつかの実施形態において、締付具１２２は、開口部１２０及びチャネル１１８を通って延在することができる。締付具１２２は、とりわけカバー１００の前部１０４の幅を変化させるために使用され得る任意の特徴部であり得る。いくつかの実施形態において、締付具１２２は、例えば紐、糸、ワイヤ、弾性バンドコード、又は同類のものなどのコードであり得る。図１Ｂで更に分かるように、締付具１２２は、前部１０４の幅を変化させるために締付具１２２と関連して使用され得る保持器１２４を含んでもよい。一実施形態において、例えば、開口部１２０に対する締付具１２２上の保持器１２４の位置は、前部１０４の幅を決定することができる。
【００２２】
以下、図１Ｃを参照すると、カバー１００の一実施形態の背面図が示される。図１Ｃで分かるように、後部１０６は、本明細書で外面又は第１の表面とも称される面１２５と、面１２５の反対側に位置し、かつ本明細書で内後部又は第２の側部とも称される後部（図示せず）と、後部頂部１２６と、後部頂部１２６の反対側に位置する後部底部１２８と、後部第１の側部１３０と、後部第１の側部１３０の反対側に位置する後部第２の側部１３２とを含む。図１Ｃに示される実施形態では、後部頂部１２６と後部底部１２８との間の最短距離が後部１０６の高さであり、後部第１の側部１３０と後部第２の側部１３２との間の最短距離が後部１０６の幅である。いくつかの実施形態において、後部１０６の高さは、前部１０４の高さ未満であり得、かつ／又は後部１０６の幅は、前部１０４の幅未満であり得る。一実施形態において、前部の高さ及び／又は幅は、例えば、後部１０６の高さ及び／又は幅と同じであってもよく、かつ／又は後部１０６の高さ及び／又は幅よりも１．２、１．４、１．６、１．８、２、２．５、３、４、５倍、若しくは任意の他の倍数、又は中間の倍数大きい高さ及び／又は幅であってもよい。いくつかの実施形態において、前部１０４の領域は、後部１０６の領域と同じであるか、又はそれよりも大きくてもよい。一実施形態において、例えば、前部１０４の領域は、後部１０６の領域よりも１．５、２、２．５、３、４、５、６倍、又は任意の他の中間の倍数大きい。いくつかの実施形態において、後部１０６は、前部頂部１１０が後部頂部１２６に近接し、前部第１の側部１１４が後部第１の側部１３０に近接し、前部底部１１２が後部底部１２８に近接し、前部第２の側部１１６が後部第２の側部１３２に近接するように、前部１０４に対して位置付けられ得る。
【００２３】
図１Ｃで更に分かるように、側部１０８は、本明細書で外面又は第１の側部とも称される面１３３と、面１３３の反対側に位置し、かつ本明細書で第２の側部を有する内後部とも称される後部（図示せず）と、前縁部１３４と、後縁部１３６と、第１の端部１３８と、第２の端部１４０とを含む。いくつかの実施形態において、前縁部１３４及び後縁部１３６は、平行及び／又はほぼ平行であってもよく、いくつかの実施形態において、第１の端部１３８及び第２の端部１４０は、非平行であってもよい。示される実施形態において、側部１０８の前縁部１３４は、前部頂部１１０、前部第１の側部１１４、及び前部第２の側部１１６に接続され、側部１０８の後縁部１３６は、後部頂部１２６、後部第１の側部１３０、及び後部第２の側部１３２に接続される。
【００２４】
更に示されるように、いくつかの実施形態において、側部１０８の第１の端部１３８及び第２の端部１４０は、カバー１００の前部１０４と後部１０６との間に延在する。いくつかの実施形態において、第１の端部１３６及び第２の端部１３８は、第１の側部１１４、１３０又は第２の側部１１６、１３２の交差点と、前部１０４の底部１１２及び後部１０６の底部１２８との間に延在することができる。いくつかの実施形態において、第１の端部１３６及び第２の端部１３８は、直線、曲線、又は任意の他の所望の様式で延在することができる。好都合には、第１の端部１３６及び第２の端部１３８が、第１の側部１１４、１３０又は第２の側部１１６、１３２の交差点と、前部１０４の底部１１２及び後部１０６の底部１２８との間に延在することは、カバー１００がシート上に位置付けられるとときに、シート１０２の後部へのアクセスを可能にし、よって、カバーの前部１０４が、シート１０２の前部にあり、カバー１００の後部１０６が、シート１０２の後部にある。
【００２５】
図１Ｃに示される実施形態において、前部１０４の底部１１２及び後部１０６の底部１２８、並びに側部１０８の第１の端部１３８及び第２の端部１４０は、開口部１４２及びカバー１００を画定する。いくつかの実施形態において、開口部１４２は、カバー１００の内部容積へのアクセスを可能にし得、該内部容積は、開口部並びに前部１０４の後部、後部１０６、及び側部１０８によって境界付けられる。いくつかの実施形態において、開口部１４２は、例えばシート１０２のヘッドレスト、ヘッドレスト部分、及び／又は頂部などの、シート１０２の一部分を受容するようにサイズ決定及び成形されてもよい。いくつかの実施形態において、図１Ｃで分かるように、前部１０４と後部１０６とのサイズの相違、及び側部１０８が後部１０６の底部１２８に沿って延在していないことにより、カバー１００の前部１０４の後部１４３の一部分を認識できる。
【００２６】
いくつかの実施形態において、チャネル１１８は、開口部１４２の全て又は一部分の周囲に延在することができる。好都合には、開口部１４２の全て又は一部分の周囲にチャネル１１８が延在することは、締付具１２２及び保持器１２４が開口部１４２のサイズに作用することを可能にし得る。一実施形態において、例えば、締付具１２２及び保持器１２４は、開口部１４２の外周のサイズを変化させることに関連して使用することができる。いくつかの実施形態において、例えば、チャネル１１８は、側部１０８の第１の端部１３８及び第２の端部１４０、並びに前部１０４の前端部１１２にわたって延在することができる。そのような実施形態において、チャネル１１８は、チャネル１１８に沿っていくつかの部分に位置する１つ以上の開口部１２０を含んでもよい。図１Ｃに示される実施形態において、チャネルは、後部１０６の第１の側部１３０と底部１２８との交差点から、開口部１４２の周囲に、及び後部１０６の第２の側部１３２と底部１２８との交差点まで延在する。図１Ａに関して論じられるように、締付具１２２は、チャネル１１８を通って延在することができ、保持器１２４は、締付具１２２に沿って可変的に位置付けられ得る。
【００２７】
いくつかの実施形態において、後部１０６は、後部１０６に及び／又はその外周の周囲に位置する締結具１４４を有することができる。締結具１４４は、後部１０６の外周の一部分を着脱可能に接続するために使用することができる、任意の特徴部であり得る。いくつかの実施形態において、締結具１４４は、１つ又は複数のフック及びループ締結具、１つ又は複数のボタン、１つ又は複数のスナップ、１つ又は複数のジッパー、又は同類のものなどの、機械的締結具であり得る。図１Ｃに示される具体的な実施形態において、締結具１４４は、後部１０６の外周の周囲に延在するジッパーである。
【００２８】
いくつかの実施形態において、締結具１４４は、第２の片１４８に噛合する第１の片１４６を有することができる。いくつかの実施形態において、締結具１４４の第１の片１４６は、ジッパーの第１の半部であり得、締結具１４４の第２の片１４８は、ジッパーの第２の半部であり得る。いくつかの実施形態において、締結具１４４の第１の片１４６は、カバー１００の後部１０６の第１の部分１５０の周囲に延在し、締結具１４４の第２の片１４６は、カバー１００の後部１０６の第２の部分１５２周辺に延在する。いくつかの実施形態において、第１の部分１５０は、カバー１００の後部１０６の任意の片であり得、例えば、後部１０６の頂部１２６、底部１２８、第１の側部１３０、及び第２の側部１３２のうちの少なくとも３つの部分によって画定され得る。いくつかの実施形態において、第２の部分１５２は、カバー１００の後部１０６の任意の片であり得、例えば、後部１０６の頂部１２６、底部１２８、第１の側部１３０、及び第２の側部１３２のうちの少なくとも３つの部分によって画定され得る。
【００２９】
いくつかの実施形態において、締結具１４４の第１の片１４６は、後部１０６の第１の側部１３０、第２の側部１３２、及び頂部１２６の全て又は一部分の周囲に延在し、締結具１４４の第２の片１４８は、後部１０６の第１の側部１３０、第２の側部１３２、及び底部１２８の全て又は一部分の周囲に延在する。いくつかの実施形態において、後部は、第１の開放位置から第２の閉鎖位置まで移動させることができ、締結具１４４は、後部１０６が第２の閉鎖位置にあるときに、第１の部分１５０を後部１０６の第２の部分１５２に接続することができる。例えば締結具１４４がジッパーであるいくつかの実施形態において、ジッパーは、ジッパーのスライダーを第１の締結解除位置から第２の締結位置まで移動させることによって、後部１０６の第１の部分１５０を第２の部分１５２に接続することができる。
【００３０】
以下、図２を参照すると、第１の開放位置と第２の閉鎖位置との間を移行中のカバー１００の一実施形態の斜視図が示される。図２に示される実施形態において、ジッパーである締結具１４４は、カバー１００の後部１０６の第１の部分１５０を第２の部分１５２に部分的に接続する。図２で分かるように、締結具１４４を介してカバー１００の後部１０６の第１の部分１５０を第２の部分１５２に接続することは、カバー１００の後部１０６内に内部容積２０２を作り出す。図２に示されるように、カバー１００の側部１０８からの前部１０４は、後部１０６によって画定される内部容積２０２内に受容されてもよい。
【００３１】
以下、図３を参照すると、カバー１００及び第２の閉鎖位置の一実施形態の斜視図が示される。図３で分かるように、ジッパーである締結具１４４は、カバーの後部１０６の第１の部分１５０を第２の部分１５２に締結するように閉じられる。この締結具１４４の位置付けが、カバー１００の後部１０６内に内部容積２０２を作り出し、該内部容積２０２は、カバーの前部１０４及び側部１０８を収容する。
【００３２】
以下、図４を参照すると、清潔な着席環境を作り出すためのプロセス４００の一実施形態を例示するフローチャートが示される。いくつかの実施形態において、プロセス４００は、カバー１００及びシート１０２を使用して行うことができる。プロセス４００は、カバー１００が得られるときに、ブロック４０２から始まる。カバーが得られた後に、プロセス４００は、ブロック４０４に進み、締結具１４４が固定解除される。締結具１４４がジッパーであるいくつかの実施形態において、締結具１４４の固定は、閉鎖位置から開放位置までジッパーを移動させることを含んでもよい。
【００３３】
ジッパーが固定解除された後に、プロセス４００は、ブロック４０６へ進み、カバー１００が第２の閉鎖位置から第１の開放位置まで移動される。いくつかの実施形態において、これは、後部１０６によって画定される内部容積からカバー１００の前部１０４及び側部１０８を取り除くことを含んでもよい。カバー１００が第２の閉鎖位置から第１の開放位置まで移動された後に、プロセス４００は、ブロック４０８へ進み、シート１０２の一部分がカバー１００の開口部１４２を通して挿入される。いくつかの実施形態において、カバー１００の開口部１４２を通して挿入されるシート１０２の一部分は、カバー１００の内部容積内に挿入されてもよく、該内部容積は、カバー１００の開口部１４２、前部１０４、後部１０６、及び側部１０８によって画定される。いくつかの実施形態において、カバー１００の開口部１４２を通して挿入されるシート１０２の一部分は、例えば、シートのヘッドレスト部分であり得る。シート１０２の一部分がカバー１００の開口部１４２を通して挿入された後に、プロセス４００は、ブロック４１０へ進み、カバー１００の前部１０４がシート１０２の前部に位置付けられる。
【００３４】
カバー１００の前部１０４がシート１０２の前部に位置付けられた後に、プロセス４００は、ブロック４１２へ進み、開口部１４２のサイズが調節される。いくつかの実施形態において、開口部のサイズ１４２は、締付具１２２に対する保持器１２４の相対的な移動と、チャネル１１８に対する及び／又は開口部１２０に対する締付具１２２の相対的な移動との組み合わせを介して調節することができる。開口部のサイズが調節された後に、プロセス４００は、ブロック４１４に進み、カバー１００がシート１０２から取り外される。いくつかの実施形態において、これは、シート１００の一部分を取り外して、カバー１００の内部容積に入れることを含んでもよい。
【００３５】
カバー１００がシート１０２から取り外された後に、プロセス４００は、ブロック４１６へ進み、カバー１００が第１の開放位置から第２の閉鎖位置まで移動される。いくつかの実施形態において、例えば、これは、カバー１００の後部１０６内に内部容積を作り出すようにカバー１００の後部１０６を操作することを含んでもよく、該内部容積は、後部１０６の第１の部分１５０及び第２の部分１５２によって境界付けられる。いくつかの実施形態において、この工程は、カバー１００の前部１０４及び側部１０８を、後部１０６の第１の部分１５０及び第２の部分１５２によって画定される内部容積内に配置及び／又は挿入することを更に含んでもよい。カバー１００が第１の開放位置から第２の閉鎖位置まで移動された後に、プロセス４００は、ブロック４１８へ進み、締結具１４４が固定される。締結具１４４がジッパーであるいくつかの実施形態において、ジッパーの固定は、開放位置から閉鎖位置までジッパーを移動させることを伴うことができる。
【００３６】
本開示の原則を具体的な装置及び方法と関連して上で説明してきたが、この説明は、単に例として行われるものであり、また、本開示の範囲を限定するものではないことを明確に理解されたい。
【図１Ａ】
2016536222.tif 000003
【図１Ｂ】
2016536222.tif 000004
【図１Ｃ】
2016536222.tif 000005
【図２】
2016536222.tif 000006
【図３】
2016536222.tif 000007
【図４】
2016536222.tif 000008
【国際調査報告】
2016536222.tif 000009
2016536222.tif 000010